(57)【要約】【課題】行き先階登録釦の数を減少しつつも、行き先階の自動登録を可能にし、利用者の利便性を向上させる。【解決手段】特定の利用者が携帯する発信装置２から送信される利用者識別情報が行き先階特定装置５により認証されて、予め登録されている各利用者毎の行き先階情報の中から、利用者に対応する行き先階情報が選択され、特定階用行き先階登録釦６が点滅される。一定時間以内に利用者が特定階用行き先階登録釦６を押したとき、エレベータ制御装置７によって認識される。そして、行き先階特定装置５で選択された行き先階情報に対応する呼び情報が登録され、乗りかごの昇降などが開始される。【選択図】図１
2008063129.tif 000002
【特許請求の範囲】
【請求項１】
予め登録された利用者が乗りかごを利用しようとするとき、利用者を特定する利用者識別情報を生成する利用者特定手段と、
予め登録された利用者の行き先階を記憶し、前記利用者特定手段から利用者識別情報が出力されたとき、記憶している利用者の行き先階を読み出すとともに、不特定の利用者が利用する行き先階登録釦とは別に設けられた特定階用行き先階登録釦が操作されたとき、その操作内容に応じた前記行き先階の呼び情報を生成する行き先階特定手段と、
を備えたことを特徴とするエレベータシステム。
【請求項２】
請求項１に記載のエレベータシステムにおいて、
前記特定階用行き先階釦は、前記行き先階登録釦が配置される操作盤と別の位置に配置されたサブ操作盤内に設けられる、
ことを特徴とするエレベータシステム。
【請求項３】
請求項１または２に記載のエレベータシステムにおいて、
前記特定階用行き先階釦は、複数個設けられ、各特定階用行き先階釦には、利用者別の行き先階が割り当てられる、
ことを特徴とするエレベータシステム。
【請求項４】
請求項３に記載のエレベータシステムにおいて、
前記特定階用行き先階釦は、利用者が認識されたときに点滅する、
ことを特徴とするエレベータシステム。
【請求項５】
請求項１乃至４のいずれか１項に記載のエレベータシステムにおいて、
前記利用者特定手段は、利用者が携帯する発信装置を検出して利用者を特定する、
ことを特徴とするエレベータシステム。
【請求項６】
請求項５に記載のエレベータシステムにおいて、
前記発信装置は、ＩＣタグを含む、
ことを特徴とするエレベータシステム。
【発明の詳細な説明】
【技術分野】
【０００１】
本発明は、高層ビルなどに設置されるエレベータシステムに係わり、特に行き先階の登録を容易にしたエレベータシステムに関する。
【背景技術】
【０００２】
近年、建物の超高層化に伴ない、エレベータがサービスする階床数も増大する傾向にある。階床数が多い高層ビルの乗用エレベータや住宅用エレベータでは、ゾーニングと呼ばれる建物内交通計画を行うことが一般的である。
【０００３】
ゾーニングとは、建物の階床に応じてサービスするエレベータを分ける方式で、例えば、４台のエレベータのうち１号機と２号機は上層階を、３号機と４号機は下層階を受け持ってサービスするような方式である。このようなゾーニングを行うことで、高層階をサービスするエレベータにおいて途中階で停止する回数を減らし、利用者、とりわけ高層階へ移動する利用者の移動時間を短縮させることができる。
【特許文献１】特開２００２−１２９７９３号公報
【発明の開示】
【発明が解決しようとする課題】
【０００４】
しかしながら、エレベータの用途によっては上述のようなゾーニングを適用しにくい場合がある。例えば、ホテルのリネンやオフィスビルの設備運搬用に設置される荷物用エレベータや人荷用エレベータ、さらには、消防士が消火活動に用いる非常用エレベータなどがこれに属する。これら荷物用、人荷用、非常用エレベータは、その性格上、一般的には建物すべての階床に停止することを求められるため、乗りかご内の操作盤には全ての階床に対応した行き先階登録釦が設置されている。建物が超高層化する昨今、かご操作盤に行き先階登録釦が数十階床分設置されていることも珍しくない。
【０００５】
また、乗用エレベータや住宅用エレベータにおいても、建物は高層であってもエレベータの設置台数が少ない場合は、たとえゾーニングを用いたとしても行き先階登録釦が多数設置されていることもある。一例として、４０階建ての高層マンションで、エレベータが４台設置されており、２台を低層用、２台を高層用にゾーニングした例を考えてみても、各エレベータの行き先階登録釦は約２０階床分が乗りかご内の操作盤上に並ぶこととなる。
【０００６】
このように、行き先階登録釦が多数並ぶような場合、利用者は多くの行き先階登録釦の中から目的の階の釦を探し出さねばならず、とりわけ、視覚障害者や高齢者には困難を強いてきた。もちろん一般の利用者にとっても押し間違いなどの可能性もある。また、背が低い人や子供には、多数並んだ行き先階登録釦のうち上方に設置された行き先階登録釦には手が届かずに、独りでは利用できないような事態もあった。
【０００７】
また、主に建物の防犯上の観点から、特許文献１のように（通常は乗りかご内の行き先階登録釦が無効になっている状態で）、利用者毎に予め登録された階への行き先階呼びを自動的に登録したり、または当該行き先階登録釦のみを有効にする技術も提案されている。
【０００８】
しかし、上記特許文献１に記載の技術では、予め登録された行き先階以外の行き先階登録釦を利用することができないため、階間交通の頻繁な１社占有オフィスビルや、友人を訪問する機会の多いファミリー向けマンションなどでは適用が困難であった。
【０００９】
本発明は上記の事情に鑑み、予め登録された利用者が乗りかごを利用するとき、特定階用行き先階登録釦の操作内容に応じて、行き先階を自動的に登録でき、利用者の利便性を飛躍的に向上させることができるエレベータシステムを提供することを目的としている。
【課題を解決するための手段】
【００１０】
上記の目的を達成するために本発明は、予め登録された利用者が乗りかごを利用しようとするとき、利用者を特定する利用者識別情報を生成する利用者特定手段と、予め登録された利用者の行き先階を記憶し、前記利用者特定手段から利用者識別情報が出力されたとき、記憶している利用者の行き先階を読み出すとともに、不特定の利用者が利用する行き先階登録釦とは別に設けられた特定階用行き先階登録釦が操作されたとき、その操作内容に応じた前記行き先階の呼び情報を生成する行き先階特定手段とを備えたことを特徴としている。
【００１１】
この場合、前記特定階用行き先階釦は、前記行き先階登録釦が配置される操作盤と別の位置に配置されたサブ操作盤内に設けられる。また、前記特定階用行き先階釦は、複数個設けられ、各特定階用行き先階釦には、利用者別の行き先階が割り当てられる。さらに、前記特定階用行き先階釦は、利用者が認識されたときに点滅する。さらに、前記利用者特定手段は、利用者が携帯する発信装置を検出して利用者を特定する。加えて、前記発信装置は、ＩＣタグを含んで構成される。
【発明の効果】
【００１２】
本発明によれば、予め登録された利用者が乗りかごを利用するとき、特定階用行き先階登録釦の操作内容に応じて、行き先階を自動的に登録でき、利用者の利便性を飛躍的に向
【発明を実施するための最良の形態】
【００１３】
《第１実施形態》
図１は本発明によるエレベータシステムの第１実施形態を示すブロック図、図２は第１実施形態における乗りかご内の操作盤を示す説明図である。
【００１４】
この図に示すエレベータシステム１ａは、ＩＣタグなどによって構成された発信装置２と、乗りかご８内の操作盤などに配置され、受信部３や行き先階記憶部４を有する行き先階特定装置５と、乗りかご内の操作盤などに設けられた特定階用行き先階登録釦６と、エレベータ制御装置７とを備えている。
【００１５】
発信装置２は、利用者によって携帯され、行き先階特定装置５から送信された呼び出し信号を受信したとき、予め登録されている利用者識別情報を送信する。
【００１６】
行き先階特定装置５の受信部３は、例えば図２に示すように、メイン操作盤９の下部付近に配置されている。そして、呼び出し信号を送信すると共に、この呼び出し信号に応答して発信装置２から送信された利用者識別情報を受信したとき、これを復調、復号する。行き先階特定装置５の行き先階記憶部４は、特定の利用者が利用する行き先階情報を記憶する。具体的には、行き先階記憶部４は、利用者識別情報をキーとして各利用者別の行き先階情報をテーブル形式で記憶する。
【００１７】
特定階用行き先階登録釦６は、図２に示すように、乗りかご８のメイン操作盤９に配置された行き先階登録釦１０よりも低い位置に配置されている。そして、利用者によって操作されたとき、特定階操作信号を生成してエレベータ制御装置７に出力する。
【００１８】
エレベータ制御装置７は、建物内に形成されたエレベータシャフト上部にある機械室などに設けられ、行き先階特定装置５から行き先階情報が出力され、一定時間以内に特定階用行き先階登録釦６が操作されたとき、行き先階情報で指定された階を行き先階とする呼び情報を生成する。また、エレベータ制御装置７は、呼び情報、予め登録されている運転パターンなどに応じて電動機を制御して、乗りかごの昇降、停止、およびドアの開閉などを制御する。
【００１９】
次に、この実施形態の作用を図３のフローチャートを参照して説明する。図３に示すように、利用者が乗りかごに乗り込むと、乗りかご内に取り付けられた行き先階特定装置５の受信部３によって、呼び出し信号が送信され、これに応答して利用者が携帯する発信装置２から利用者識別情報が送信される（ステップＳ１）。この利用者識別情報は受信部３で受信され、復調、復号される。また、行き先階特定装置５の行き先階記憶部４によって、予め記憶されている各行き先階情報の中から、受信部３で復調、復号された利用者識別情報に対応する行き先階情報が選択され、エレベータ制御装置７に供給される（ステップＳ２）。
【００２０】
この際、発信装置２から発信された利用者識別情報中に含まれているＩＤ番号が「０００１」であり、行き先階記憶部４に「ＩＤ番号０００１の行き先階は５階」という行き先階情報が記憶されていれば、行き先階特定装置５から「５階」を行き先階とする行き先階情報が選択されて、エレベータ制御装置７に供給される。
【００２１】
次いで、エレベータ制御装置７により、特定階用行き先階登録釦６が点滅されて、利用者を認識したことが利用者に報知される。また、特定階用行き先階登録釦６が押されたかどうかがチェックされ、行き先階特定装置５から行き先階情報が供給されてから一定時間内に特定階用行き先階登録釦６が押されたとき（ステップＳ３、Ｓ４）、行き先階情報で指定された階を行き先階に指定する呼び情報が生成される（ステップＳ５）。
【００２２】
また、行き先階特定装置５から行き先階情報が出力された時から一定時間が経過しても特定階用行き先階登録釦６が押されなければ、エレベータ制御装置７によって、上述した特定利用者に対する行き先階登録処理が中止されて、通常の呼び登録処理が行われる。
【００２３】
この後、エレベータ制御装置７によって、登録されている呼び情報、予め登録されている運転パターンなどに応じて、電動機などが制御されて、乗りかごの昇降、停止、ドアの開閉などが制御され、利用者の搬送が行われる。
【００２４】
このように、第１実施形態では、特定の利用者が携帯する発信装置２から送信される利用者識別情報を行き先階特定装置５に認証し、予め登録されている各利用者毎の行き先階情報の中から、利用者に対応する行き先階情報を選択し、特定階用行き先階登録釦６を点滅するとともに、一定時間以内に利用者が特定階用行き先階登録釦６を押したとき、エレベータ制御装置７がこれを認識して、選択された行き先階情報に対応する呼び情報を登録するようにした。このため、特定階用行き先階登録釦６の操作内容に応じて、行き先階に対する呼び情報を自動的に登録でき、利用者の利便性を飛躍的に向上させることができる。また、予め登録された利用者が乗りかごを利用するとき、特定階用行き先階登録釦６の点滅で利用者の行き先階が登録されていることを利用者に報知することができる。
【００２５】
《第２実施形態》
図４は本発明によるエレベータシステムの第２実施形態における乗りかご内の制御盤を示す説明図である。なお、この図において、図２の各部と対応する部分には、同じ符号が付してある。
【００２６】
この図に示すエレベータシステム１ｂが図２に示すエレベータシステム１ａと異なる点は、乗りかご８内に設けられたメイン操作盤９とは別にサブ操作盤１１を設けた点である。このサブ操作盤１１には、特定階用行き先階登録釦６が配置されるとともに、行き先階特定装置５の受信部３が配置されている。
【００２７】
このように、第２実施形態では、エレベータシステム１ｂがサービスする階に１対１に対応して行き先階登録釦１１が取りつけられているメイン操作盤９とは別にサブ操作盤１１に取りつけて、特定階用行き先階登録釦６、受信部３が配置されるようにしていた。このため、乗りかご８内に多数の行き先階登録釦１１が並んだメイン操作盤の中から特定階用行き先階登録釦６を探す必要が無いので、目的の行き先階を迅速に間違いなく登録でき、より一層操作性が向上する。
【００２８】
《他の実施形態》
また、上述した各実施形態では、乗りかご８内に行き先階特定装置５を設置しているが、この行き先階特定装置５を乗り場に設置するようにしても良い。
【００２９】
また、上述した実施形態では、発信装置２としてＩＣタグを利用するようにしているが、例えばＩＣカード、磁気カードなどでも良い。
【００３０】
さらに、上述した実施形態では、利用者が携帯する発信装置２から送信される利用者識別情報によって利用者を特定するようにしているが、バイオメトリクスを利用した認証装置（たとえば指紋認証や顔認証、虹彩認証や静脈認証など）などを使用して利用者を特定するようにしても良い。
【００３１】
さらに、図５に示すように、メイン操作盤９またはサブ操作盤１１に２個の特定階用行き先階登録釦６Ａ，６Ｂを設けるようにしても良い。この場合、釦６Ａの表面には、“Ａ”という刻印が、釦６Ｂの表面には、“Ｂ”という刻印がされている。例えば、釦６Ａは居住階、釦６Ｂは、最も利用する階というように各釦の行き先階を予め指定しておく。例えば、利用者甲の居住階が５０階であり、最も利用する階がトレーニングセンタがある２０階と仮定した場合、利用者甲が釦６Ａを押すと５０階が登録され、釦６Ｂを押すと２０階が登録される。また、利用者乙の居住階が４５階で、最も利用する階がショッピングモールのある２階だと仮定した場合、利用者乙が釦６Ａを押すと、４５階が登録され、釦６Ｂを押すと２階が登録される。
【００３２】
このように、２個の特定階用行き先階登録釦６Ａ，６Ｂのそれぞれに利用者個別の行き先階を登録しておくことにより、より一層利便性を向上できる。
【００３３】
なお、本発明では、上述した説明からも分かるように、個人を厳密に特定する必要が無く、その利用者がどの階へ向かうのかが明確になっていれば良いので、行き先階のみがデータとして登録されたＩＣタグやＩＣカードなどを使用することにより個人情報を保護することができる。
【図面の簡単な説明】
【００３４】
【図１】本発明によるエレベータシステムの第１実施形態を示すブロック図。
【図２】本発明によるエレベータシステムの第１実施形態における乗りかご内の構成を示す説明図。
【図３】図１に示すエレベータシステムの利用者特定動作、行き先階特定動作動作例を示すフローチャート。
【図４】本発明によるエレベータシステムの第２実施形態における乗りかご内の構成を示す説明図。
【図５】本発明によるエレベータシステムの他の実施形態における特定階用行き先階登録釦の配置構成を示す説明図。
【符号の説明】
【００３５】
１ａ，１ｂ：エレベータシステム
２：発信装置
３：受信部
４：行き先階記憶部
５：行き先階特定装置
６，６Ａ，６Ｂ：特定階用行き先階登録釦
７：エレベータ制御装置
８：乗りかご
９：メイン操作盤
１０：行き先階登録釦
１１：サブ操作盤
【図１】
2008063129.tif 000003
【図２】
2008063129.tif 000004
【図３】
2008063129.tif 000005
【図４】
2008063129.tif 000006
【図５】
2008063129.tif 000007